(57)【要約】【課題】拭き掃除中にクリーナーから音を発生することで、画面等掃除面を拭いているという実感を音で認知できるようにする。【解決手段】指を差し込んで拭き掃除が行えるよう略手袋状等の形状に形成したクリーナー本体部１に、拭き掃除中に音を発生することが可能な発音手段Ｐを備える。発音手段Ｐは、クリーナー本体部１の画面等の掃除面に対する圧接面側に備えた圧力センサースイッチ３と、該圧力センサースイッチ３の加圧によるスイッチオン動作により発音可能となるよう非圧接面側に備えたスピーカー４とを備えて成るものとすることができる。【選択図】図１
0003125064.tif 000002
【実用新案登録請求の範囲】
【請求項１】
拭き掃除用のクリーナーであって、当該クリーナー本体部には、拭き掃除中に音を発生させることを可能にした発音手段を備えたことを特徴とするクリーナー。
【請求項２】
指を差し込んで拭き掃除が行えるよう略手袋状に形成されたクリーナー本体部を備えた請求項１記載のクリーナー。
【請求項３】
発音手段は、クリーナー本体部の掃除面に対する圧接面側に備えた圧力センサースイッチと、該圧力センサースイッチの加圧によるスイッチオン動作により発音可能となるよう非圧接面側に備えたスピーカーとを備えて成る請求項１または２記載のクリーナー。
【請求項４】
クリーナー本体部の非圧接面側には、蓋開閉可能な電源用のボタン電池収容部を備えている請求項１乃至３記載のクリーナー。
【請求項５】
クリーナー本体部の非圧接面側には、種々のキャラクターを形成してある請求項１乃至４のいずれか記載のクリーナー。
【請求項６】
クリーナー本体部の縁部には、ストラップを設けてある請求項１乃至５いずれか記載のクリーナー。
【考案の詳細な説明】
【技術分野】
【０００１】
本考案は、例えばパソコン、携帯電話機、テレビ等の画面、その他のモニター画面等の拭き掃除用のクリーナーに関する。
【背景技術】
【０００２】
従来、この種のクリーナーとしては、例えば特許文献１に開示されているように、クリーナー布とビニールの間にスポンジを挟み込んでその周囲を熱溶着して成るクリーナー部の裏に、指を差し込んで拭き掃除を行うための略Ｖ字カーブ状の指差し込み帯を付設し、当該指差し込み帯自体のカーブとゆるみで画面の縁に引っ掛け可能とした引っ掛け帯付きパソコン用液晶画面クリーナーなる技術が存在する。
【０００３】
【特許文献１】登録実用新案第３１０３３２５号公報
【考案の開示】
【考案が解決しようとする課題】
【０００４】
しかしながら、従来においては、拭き掃除中に使用者に対し画面を拭いているという実感を音で知らせることができるようクリーナーから音を発生させるという技術が未だ存在しないのであった。
【０００５】
そこで、本考案は、叙上のような従来存した諸事情に鑑み案出されたもので、拭き掃除中にクリーナーから音を発生させることで、画面を拭いているという実感を音で認知でき、使用者に対し面白味と楽しみを与えることのできるクリーナーを提供することを目的とする。
【課題を解決するための手段】
【０００６】
上述した課題を解決するため、本考案にあっては、拭き掃除用のクリーナーであって、当該クリーナー本体部には、拭き掃除中に音を発生させることを可能にした発音手段を備えたことを特徴とする。
【０００７】
指を差し込んで拭き掃除が行えるよう略手袋状に形成されたクリーナー本体部を備えたものとすることができる。
【０００８】
発音手段は、クリーナー本体部の掃除面に対する圧接面側に備えた圧力センサースイッチと、該圧力センサースイッチの加圧によるスイッチオン動作により発音可能となるよう非圧接面側に備えたスピーカーとを備えて成るものとすることができる。
【０００９】
クリーナー本体部の非圧接面側には、蓋開閉可能な電源用のボタン電池収容部を備えているものとすることができる。
【００１０】
クリーナー本体部の非圧接面側には、種々のキャラクターを形成したものとすることができる。
【００１１】
クリーナー本体部の縁部には、ストラップを設けたものとすることができる。
【考案の効果】
【００１２】
本考案によれば、拭き掃除中にクリーナーから音を発生させることで、当該クリーナーで拭いているという実感を音で認知することができ、使用者に対し面白味と楽しみを与えることのできるものである。また、リズム良く拭き掃除をすることができるという実質的なメリットもある。
【考案を実施するための最良の形態】
【００１３】
以下、図面を参照して本考案を実施するための最良の一形態を説明する。
図において示される符号Ａは、後述する発音手段Ｐによって、拭き掃除中に種々の音を発生させることを可能にした本考案に係るクリーナーであり、該クリーナーＡの本体部１は、図１に示すように、例えば人差し指、中指、薬指等の手指Ｈを挿入穴２に差し込んでから、掃除面Ｑに当てがって拭き掃除が行えるよう略手袋状に形成されている。
【００１４】
発音手段Ｐの具体的な構成としては、図２に示すように、クリーナー本体部１の掃除面Ｑに対する圧接面側、すなわち挿入穴２に差し込んだ手指Ｈの内側に対面する側には、拭き掃除の際の掃除面Ｑに対する圧接圧力によってスイッチがオン動作する例えばペーパー状の薄い半導体セラミック等による圧力センサースイッチ３が内装されている。
【００１５】
また、クリーナー本体部１の掃除面Ｑに対する非圧接面側、すなわち挿入穴２に差し込んだ手指Ｈの外側に対面する側には、圧力センサースイッチ３の加圧によるスイッチオン動作でもって、拭き動作に関連した種々の音、例えば「キュッキュッ」という擦り音、「キレイキレイ」という言葉、清潔感を味わえるようなメロディ等の種々の音を発生可能とした薄型のスピーカー４を備えている。このスピーカー４は、圧力センサースイッチ３のスイッチオンによって作動する発音制御回路５を備え、この発音制御回路５によってスピーカー４から発する音量や音の種類等を制御している。
【００１６】
さらに、クリーナー本体部１の非圧接面側には、電源用のボタン電池１０の収容部６を備え、例えば粘着テープ、マジックテープ（登録商標）等によって開放・閉止可能とした蓋部７を備えている。
【００１７】
一方、クリーナー本体部１の非圧接面側には、図４に示すように、種々のキャラクターによる絵柄部Ｒを形成してある。
尚、キャラクターの具体的な種類を明確に示すために、図４において発音手段Ｐの図示を省略してある。この絵柄部Ｒのキャラクターの種類としては、例えば、図４（ａ）に示すような「たまごっち」（登録商標）の絵柄、図４（ｂ）に示すような「まめっち」の絵柄、図４（ｃ）に示すような「くちぱっち」の絵柄、図４（ｄ）に示すような「ふらわっち」の絵柄、図４（ｅ）に示すような「めめっち」の絵柄、図４（ｆ）に示すような「みみっち」の絵柄等、様々なタイプの絵柄がある。また、図４（ｇ）に示すように、クリーナー本体部１の縁部、すなわち絵柄部Ｒの頭部縁端側には、携帯に便利となるようにストラップＳを付設してある。
【００１８】
発音手段Ｐの具体的な回路構成としては、図３に示すように、電源とスピーカー４との間に発音制御回路５と圧力センサースイッチ３とが並列に接続されることで構成される。また、発音制御回路５は、スピーカー４から発生する音の種類や音量を自在に制御できるようにしてあり、例えば、クリーナー本体部１自体に備えた、例えばボリューム８や音種モード切替スイッチ９等を操作し、発音制御回路５を介して音の種類や音量を自由に変更できるようにしても良い。
【００１９】
さらに、本考案のクリーナーＡは、例えばパソコン、携帯電話機、テレビ等の画面、その他のモニター画面等の掃除を行うのに好適なものである。
【００２０】
次に、以上のように構成された最良の形態についての使用、動作の一例について説明する。
図１に示すように、例えば人差し指、中指、薬指等の手指Ｈをクリーナー本体部１の挿入穴２に差し込んでから、掃除面Ｑに当てがって拭き掃除を行う。このとき、クリーナー本体部１の掃除面Ｑに対する非圧接面側にある圧力センサースイッチ３が手指Ｈの掃除面Ｑに対する押し付けにより加圧されてスイッチオン状態となる。
【００２１】
このスイッチオン動作によって、拭き動作に関連した種々の音、例えば「キュッキュッ」という擦り音、「キレイキレイ」という言葉、清潔感を味わえるようなメロディ等の種々の音がスピーカー４から発生される。
【００２２】
また、音の種類や音量を換える場合には、クリーナー本体部１自体に備えたボリューム８や音種モード切替スイッチ９等を操作すれば、発音制御回路５による制御を介してスピーカー４から発する音量や音の種類等が変更される。
【００２３】
尚、本実施の形態において、上記した絵柄部Ｒのキャラクターの種類、発音手段Ｐの具体的な回路構成は、本考案を何等限定するものではなく、その他のキャラクターや発音手段Ｐの回路構成を採用しても良いことは勿論である。さらに、クリーナーＡの本体部１は、略手袋状の形状以外でも良いことは勿論である。
【図面の簡単な説明】
【００２４】
【図１】本考案を実施するための最良の形態におけるクリーナーの使用状態を示すもので、（ａ）は画面拭き掃除中の正面図、（ｂ）は使用状態のクリーナーの圧接面側から見た正面図である。
【図２】同じくクリーナーの縦断面図である。
【図３】同じく発音手段の回路構成の一例を示す構成図である。
【図４】同じく（ａ）乃至（ｆ）は絵柄部のキャラクターの種類の具体例を示す正面図であり、（ｇ）はストラップを使用した状態の正面図である。
【符号の説明】
【００２５】
Ａ    クリーナー
Ｐ    発音手段
Ｑ    掃除面
Ｒ    絵柄部
Ｓ    ストラップ
Ｈ    手指
１    クリーナー本体部
２    挿入穴
３    圧力センサースイッチ
４    スピーカー
５    発音制御回路
６    ボタン電池収容部
７    蓋部
８    ボリューム
９    音種モード切替スイッチ
１０  ボタン電池
【図１】
0003125064.tif 000003
【図２】
0003125064.tif 000004
【図３】
0003125064.tif 000005
【図４】
0003125064.tif 000006